(57)【要約】【課題】部品点数が少なく、移送途中等につまみが外れることのないパネルアセンブリを提供する。【解決手段】プリント基板４の上に配置された複数のスイッチ３ａ、３ａを押す夫々のつまみ１、１がパネル５とホルダ２との間に介在するように組み付けられたパネルアセンブリにおいて、ホルダ２の複数のつまみ１、１に囲まれる位置につまみ外れ防止リブ２ａを設け、つまみ外れ防止リブ２ａがそれを囲む前記複数のつまみ１、１の背後に１の光源６からの光を導き前記複数のつまみ１、１を照明するように構成した。【選択図】        図１
2005203246.tif 000002
【特許請求の範囲】
【請求項１】
プリント基板の上に配置された複数のスイッチを押す夫々のつまみがパネルとホルダとの間に介在するように組み付けられたパネルアセンブリにおいて、前記ホルダの前記複数のつまみに囲まれる位置につまみ外れ防止リブを設け、前記つまみ外れ防止リブがそれをを囲む前記複数のつまみの背後に１の光源からの光を導き前記複数のつまみを照明するように構成したパネルアセンブリ。
【請求項２】
前記スイッチをゴムスイッチとした請求項１のパネルアセンブリ。
【請求項３】
前記各つまみを前記つまみ外れ防止リブを中心として２個点対称に配置した請求項１または２のパネルアセンブリ。
【請求項４】
前記各つまみを前記つまみ外れ防止リブを中心として４個点対称に配置した請求項１または２のパネルアセンブリ。
【発明の詳細な説明】
【技術分野】
【０００１】
この発明は電子機器に係わり、特に、そのパネルアセンブリの構造に関する。
【背景技術】
【０００２】
従来のゴムスイッチ等の弾力に抗して押し込みゴムスイッチ等を作動させると共に、背後から光源により照明され、つまみ全体を光らせるいわゆるクリアつまみの例を図３により説明する。図に示すプリント基板４の上にゴムスイッチ３がホルダ９に押さえられるようにして重ねられている。ゴムスイッチ３はシート状のゴム板からなり、凸部３ａの裏面部に凹部が形成されており、凹部にはプリント基板４に形成された接点パターンと対向する部分に導体膜が被覆されている。
【０００３】
つまみ８、８は凸部８ａがパネル５の窓５ａから突出し、凸部８ａの背後に延びるボス８ｂ、８ｂがホルダ９の穴を挿通してゴムスイッチ３の凸部３ａ、３ａと当接する状態に配置されている。プリント基板４上のゴムスイッチ３の穴の位置に設けられたＬＥＤ６、６から発射された光はホルダ９の穴を通り夫々のつまみ８、８を背後から照明して光らせる。つまみ８の凸部８ａを押すとボス８ｂが凸部３ａを押さえてその背後の凹部に被覆されている導体膜がプリント基板４に形成された接点パターンを導通させる。
【０００４】
ホルダ９とパネル５はつまみ８、８を間に挟むようにして組み付けられており、アセンブリとして納品されるが、このようなアセンブリの輸送途中において、つまみ８、８がずれて外れないようにホルダ９のつまみ８、８の間に外れ防止リブ９ａが形成されている。上記した従来のつまみのアセンブリ構造によると、つまみを照明するための光源となるＬＥＤがつまみの数だけ必要であり、部品点数が多くなるという問題があった。
【０００５】
特開平１１−１０２６２２号公報に提案されているスイッチ操作パネル（つまみアセンブリ）はキートップ（つまみ）がキートップガイドとケース（パネル）により組立られている。このスイッチ操作パネルでは各キートップの頂部中心部と対向した位置に照明発光素子３３が取付けられている。従って、つまみを照明するための光源がつまみの数だけ必要であり、部品点数が多くなるという問題があった。
【特許文献１】特開平１１−１０２６２２号公報、段落００１４、図４
【発明の開示】
【発明が解決しようとする課題】
【０００６】
この発明は上記した点に鑑みてなされたものであって、その目的とするところは、部品点数が少なく、移送途中等につまみが外れることのないパネルアセンブリを提供することにある。
【課題を解決するための手段】
【０００７】
この発明のパネルアセンブリは、プリント基板の上に配置された複数のスイッチを押す夫々のつまみがパネルとホルダとの間に介在するように組み付けられたパネルアセンブリにおいて、前記ホルダの前記複数のつまみに囲まれる位置につまみ外れ防止リブを設け、前記つまみ外れ防止リブがそれを囲む前記複数のつまみの背後に１の光源からの光を導き前記複数のつまみを照明するように構成したものである。
【０００８】
また、前記パネルアセンブリにおいて、前記スイッチをゴムスイッチとしたものである。
【０００９】
また、前記各パネルアセンブリにおいて、前記各つまみを前記つまみ外れ防止リブを中心として２個点対称に配置したものである。
【００１０】
また、同各パネルアセンブリにおいて、前記各つまみを前記つまみ外れ防止リブを中心として４個点対称に配置したものである。
【発明の効果】
【００１１】
この発明のつまみアセンブリによれば、１つの光源で複数のつまみを照明できるので部品点数および組立工数が削減される。
【発明を実施するための最良の形態】
【００１２】
以下この発明を実施するための最良の形態を実施例に即して説明する。
【実施例１】
【００１３】
図１はこの発明の実施例１であるつまみアセンブリの構造を示す断面図である。図１に示すプリント基板４の上にゴムスイッチ３がホルダ２に押さえられるようにして重ねられる。ゴムスイッチ３はシート状のゴム板からなり、凸部３ａの裏面部に凹部が形成されており、凹部にはプリント基板４に形成された接点パターンと対向する部分に導体膜が被覆されている。
【００１４】
ホルダ２には凹み２ｂが設けられ、この凹み２ｂ内に配置されるようにＬＥＤ６がプリント基板４に固定されている。ホルダ２のプリント基板４と反対側の面には凹み２ｂ内に配置されたＬＥＤ６からの光をつまみ１、１の裏面に向けて放射する傾斜した放射面を有する外れ防止リブ２ａが形成されている。
【００１５】
つまみ１、１はその凸部１ａ、１ａがパネル５の窓５ａ、５ａから突出し、ボス１ｂ、１ｂがホルダ２の穴を挿通してゴムスイッチ３の凸部３ａ、３ａと当接する状態に配置されている。ホルダ２の外れ防止リブ２ａはつまみ１、１の間に形成されており、つまみ１、１の位置ずれを防止し、つまみ１、１がパネル５とホルダ２の間から脱落するのを防止する。プリント基板４上のホルダ２の凹み２ｂの背後でゴムスイッチ３の穴の位置に設けられたＬＥＤ６から発射された光はホルダ２の外れ防止リブ２ａに導かれ夫々のつまみ１、１を背後から照明して光らせる。
【００１６】
つまみ１の凸部１ａを押すとつまみ１のボス１ｂが凸部３ａを押さえてその背後の凹部に被覆されている導体膜がプリント基板４に形成された接点パターンを導通させる。このように、１つのＬＥＤ６により複数つまみ１、１を照明できるので、部品点数が少なくなり、組立工数が削減される。
【実施例２】
【００１７】
図２（ａ）はこの発明の実施例２であるつまみの構造を示す正面図、図２（ｂ）は図２（ａ）におけるＢ−Ｂ断面図である。図に示すプリント基板４の上にゴムスイッチ３がホルダ２に押さえられるようにして重ねられている。ゴムスイッチ３はシート状のゴム板からなり、凸部３ａの裏面部に凹部が形成されており、凹部にはプリント基板４に形成された接点パターンと対向する部分に導体膜が被覆されている。凸部３ａおよび凹部は同一円周上に４個等間隔に配置されている。
【００１８】
ホルダ２には凹み２ｂが設けられ、この凹み２ｂ内に配置されるようにＬＥＤ６がプリント基板４に固定されている。ホルダ２のプリント基板４と反対側の面には凹み２ｂの中心軸に向けて高くなる外れ防止リブ２ａが形成されている。
【００１９】
つまみ７、７…はその凸部７ａ、７ａ…がパネル５の窓５ａ、５ａ…から突出し、さらに、ホルダ２の外れ防止リブ２ａはつまみ７、７…の間に形成されており、つまみ７、７…の位置ずれを防止し、つまみ７、７…がパネル５とホルダ２の間から脱落するのを防止する。
【００２０】
つまみ７、７…のボス７ｂ、７ｂ…はホルダ２の穴を挿通してゴムスイッチ３の凸部３ａ、３ａ…と当接する状態に配置されている。すなわち、つまみ７、７…はホルダ２の外れ防止リブ２ａを中心として放射状に４個等間隔に配置されている。
【００２１】
プリント基板４上のホルダ２の凹み２ｂの背後でゴムスイッチ３の穴の位置に設けられたＬＥＤ６から発射された光はホルダ２の外れ防止リブ２ａに導かれ夫々のつまみ７、７…を背後から照明して光らせる。この例では１個の光源により４個のつまみ７、７…が照明される。
【００２２】
つまみ７の凸部７ａを押すと、つまみ７のボス７ｂが凸部３ａを押さえて凹部に被覆されている導体膜がプリント基板４に形成された接点パターンを導通させる。
【００２３】
このように、ホルダ２の外れ防止リブ２ａは４個のつまみ７の背後に光を導く部材として用いられ、さらに、１つのＬＥＤ６により４個のつまみ７、７を照明できるので、部品点数が少なくなり、組立工数が削減される。この例では４個のつまみが９０°間隔に配置されるので、カーソル等を４方向に移動させるために使用すると便利である。
【図面の簡単な説明】
【００２４】
【図１】図１はこの発明の実施例１であるつまみアセンブリの構造を示す断面図である。
【図２】図２（ａ）はこの発明の実施例２であるつまみアセンブリの構造を示す正面図であり、図２（ｂ）は図２（ａ）におけるＢ−Ｂ断面図である。
【図３】従来のつまみアセンブリの構造の例を示す断面図である。
【符号の説明】
【００２５】
１  つまみ、１ａ  凸部、１ｂ  ボス
２  ホルダ、２ａ  外れ防止リブ、２ｂ  凹み
３  ゴムスイッチ、３ａ  凸部
４  プリント基板
５  パネル、５ａ  窓
６  ＬＥＤ
７  つまみ、７ａ  凸部、７ｂ  ボス
８  つまみ、８ａ  凸部、８ｂ  ボス
９  ホルダ、９ａ  外れ防止リブ
【図１】
2005203246.tif 000003
【図２】
2005203246.tif 000004
【図３】
2005203246.tif 000005